【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
複数の繊維を含む構造物を製造するためのシステムであって、
区域を規定する１つまたは複数の第１の電極；
前記区域の中に配置される第２の電極；および
前記１つまたは複数の第１の電極および前記第２の電極が第１の極性で帯電し、かつ、紡糸口金が前記第１の極性とは逆の第２の極性で電気的に帯電しながら、ポリマーを分配するために構成される紡糸口金を含み、
分配されたポリマーにより、前記第２の電極から前記第１の電極にまで広がる複数の繊維が形成される、システム。
【請求項２】
前記１つまたは複数の第１の電極が、前記区域を囲む単一の第１の電極を構成する、請求項１に記載のシステム。
【請求項３】
前記第１の電極によって囲まれる前記区域が第１の囲まれた区域であり、前記システムはさらに、
前記第１の電極を取り囲み、かつ、前記第１の囲まれた区域よりも大きい第２の囲まれた区域を規定する第３の電極であって、前記第１の極性で電気的に帯電するために構成される第３の電極を含み、
前記第３の電極が前記第１の電極と同心状に配向しており、かつ、
前記分配されたポリマーにより、前記第１の電極から前記第３の電極にまで広がる複数の繊維がさらに形成される、請求項２に記載のシステム。
【請求項４】
前記１つまたは複数の第１の電極が、前記区域に外接する複数の周辺電極を構成する、請求項１に記載のシステム。
【請求項５】
前記区域が第１の区域であり、前記システムはさらに、前記第１の区域の外側に配置され、かつ、前記第１の極性で帯電するために構成される複数の第３の電極を含み、前記第３の電極、前記第２の電極、および、前記周辺電極の一部により、前記第１の区域と部分的に重なる第２の区域が規定され、かつ、前記周辺電極のうちの第１の周辺電極が前記第２の区域の中に配置される、請求項４に記載のシステム。
【請求項６】
前記１つまたは複数の第１の電極、前記第２の電極および前記紡糸口金に電気的に接続される電源をさらに含み、前記電源は、
前記１つまたは複数の第１の電極および前記第２の電極を前記第１の極性で電気的に帯電させ、かつ
前記紡糸口金を前記第２の極性で電気的に帯電させるために構成される、請求項１に記載のシステム。
【請求項７】
複数の繊維を含む構造物を製造するための装置であって、
区域に少なくとも部分的に外接する複数の第１の電極；
前記区域の中に配置され、かつ、前記第１の電極に電気的に接続される第２の電極；および
前記第１の電極および前記第２の電極に電気的に接続される電源であって、前記第１の電極および前記第２の電極を第１の極性で電気的に帯電させるために構成される電源を含み、
前記第２の電極に関しておおよそ位置合わせされ、かつ、前記第１の極性とは逆の第２の極性で帯電する紡糸口金がポリマーを分配するとき、分配されたポリマーにより、前記第２の電極から前記第１の電極にまで広がる複数の繊維が形成される、装置。
【請求項８】
前記第１の電極が前記第２の電極を取り囲む、請求項７に記載の装置。
【請求項９】
半径方向に整列した繊維を含む構造物を製造するためのシステムであって、
囲まれた区域を規定する第１の電極；
前記囲まれた区域のおおよそ中心に配置される第２の電極；および
前記第１の電極および前記第２の電極が第１の極性で帯電し、かつ、紡糸口金が前記第１の極性とは逆の第２の極性で電気的に帯電しながら、ポリマーを分配するために構成される紡糸口金を含み、
分配されたポリマーにより、前記第２の電極から前記第１の電極にまで広がる複数の繊維が形成される、システム。
【請求項１０】
前記第１の電極が、円形の囲まれた区域を規定するリングを構成する、請求項９に記載のシステム。
【請求項１１】
前記第１の電極が第１の囲まれた区域を規定し、前記システムはさらに、
前記第１の囲まれた区域よりも大きい第２の囲まれた区域を規定し、かつ、前記第１の極性で電気的に帯電するために構成される第３の電極
を含み、
前記第３の電極が前記第１の電極と同心状に配向しており、かつ、
分配されたポリマーにより、前記第１の電極から前記第３の電極にまで広がる複数の繊維がさらに形成される、請求項１に記載のシステム。
【請求項１２】
前記第１の電極、前記第２の電極および前記紡糸口金に電気的に接続される電源をさらに含み、
前記電源は、前記第１の電極および前記第２の電極を前記第１の極性で電気的に帯電させ、かつ、前記紡糸口金を前記第２の極性で電気的に帯電させるために構成されており、
前記囲まれた区域が水平面を規定し、かつ、
前記紡糸口金が前記第２の電極に関して位置合わせされ、前記水平面から垂直方向に偏位させられる、
請求項９に記載のシステム。
【請求項１３】
繊維の構造物を製造するための方法であって、
区域を規定する１つまたは複数の第１の電極を第１の極性で電気的に帯電させること；
前記規定された区域の中に配置される第２の電極を前記第１の極性で電気的に帯電させること；
紡糸口金を前記第１の極性とは逆の第２の極性で電気的に帯電させること、ここで、前記紡糸口金は前記第２の電極に関しておおよそ位置合わせされる；および
ポリマーを前記紡糸口金から分配して、前記第２の電極から前記１つまたは複数の第１の電極にまで広がる繊維の構造物を作製することを含む方法。
【請求項１４】
前記ポリマーを分配することが、半径方向に整列した繊維の層を作製するために、前記第２の電極から前記第１の電極にまで広がる複数のポリマー繊維を形成させることを含む、請求項１３に記載の方法。
【請求項１５】
前記半径方向に整列した繊維の層を作製した後で、
前記電荷を前記第１の電極および前記第２の電極から除くこと；
前記半径方向に整列した繊維の層の下側にある導電性表面を前記第１の極性で電気的に帯電させること；および
前記ポリマーを前記紡糸口金から分配して、半径方向に整列していない繊維の層を、前記半径方向に整列した繊維の層の上に作製することをさらに含む、請求項１４に記載の方法。
【請求項１６】
前記１つまたは複数の第１の電極が、内側区域を規定する１つまたは複数の内側電極であり、かつ、前記半径方向に整列した繊維の層が、半径方向に整列した繊維の内側区域であり、
前記内側区域よりも大きい外側区域を規定する１つまたは複数の外側電極を前記第１の極性で電気的に帯電させること；および
前記ポリマーを前記紡糸口金から分配して、前記内側電極から前記外側電極にまで広がる半径方向に整列した繊維の外側区域を作製することをさらに含む、請求項１４に記載の方法。
【請求項１７】
前記ポリマーを分配しながら、マスクを、前記紡糸口金と、前記１つまたは複数の第１の電極との間に適用することをさらに含み、
前記ポリマーを分配することが、液状ポリマーを前記第２の電極に向かって分配することを含み、かつ、
前記１つまたは複数の第１の電極を帯電させることが、前記第２の電極を取り囲む円形の電極を帯電させることを含む、
請求項１３に記載の方法。
【請求項１８】
生物学的組織における空隙部を修復するための繊維構造物であって、中心および周囲を規定し、前記中心と、前記周囲との間に広がる複数の半径方向に整列したポリマー繊維を含む繊維構造物。
【請求項１９】
前記複数の半径方向に整列した繊維により第１の層が規定され、前記繊維構造物はさらに、複数の半径方向に整列していない繊維を含む第２の層を含む、請求項１８に記載の繊維構造物。
【請求項２０】
生物学的組織における欠損部を修復するための生物医学的パッチであって、
空隙部を覆うことができ、かつ、
該生物医学的パッチの中心から該生物医学的パッチの周囲にまで広がる複数の半径方向に整列したポリマー繊維を含む、生物医学的パッチ。
【請求項２１】
生物医学的物質が適用されている請求項２０に記載の生物医学的パッチであって、前記生物医学的物質が、増殖因子、タンパク質、薬物および化学療法剤のうちの１つまたは複数を含む、生物医学的パッチ。